【手続補正書】
【提出日】平成20年11月14日(2008.11.14)
【手続補正１】
【補正対象書類名】特許請求の範囲
【補正対象項目名】全文
【補正方法】変更
【補正の内容】
【特許請求の範囲】
【請求項１】
プレス成形の成形条件を数値解析して、プレス成形品の成形データを得るプレス成形解析ステップと、
前記プレス成形品の成形データのうち、前記プレス成形品を分割した各領域の物性値及び物理量のデータの少なくとも一つに対して演算処理を行う演算処理ステップと、
前記演算処理の結果に基づいて、スプリングバック量を算出するスプリングバック量算出ステップと、
前記各領域毎に、前記算出したスプリングバック量を前記各領域の面積で割った値を表示する表示ステップと、
を有することを特徴とするスプリングバック影響度表示方法。
【請求項２】
プレス成形の成形条件を数値解析して、プレス成形品の成形データを得るプレス成形解析ステップと、
前記プレス成形品の成形データのうち、前記プレス成形品を分割した各領域の物性値及び物理量のデータの少なくとも一つに対して演算処理を行う演算処理ステップと、
前記演算処理の結果に基づいて、スプリングバック量を算出するスプリングバック量算出ステップと、
前記各領域毎に、前記算出したスプリングバック量を前記プレス成形品の代表長さ、代表幅、代表高さ、代表板厚、引張強さのいずれか１つで割った値を表示するステップと、
を有することを特徴とするスプリングバック影響度表示方法。
【請求項３】
プレス成形の成形条件を数値解析して、プレス成形品の成形データを得るプレス成形解析ステップと、
前記プレス成形品の成形データのうち、前記プレス成形品を分割した各領域の物性値及び物理量のデータの少なくとも一つに対して演算処理を行う演算処理ステップと、
前記演算処理の結果に基づいて、スプリングバック量を算出するスプリングバック量算出ステップと、
前記各領域毎に、前記算出したスプリングバック量をパンチ速度又はしわ押さえ力で割った値を表示するステップと、
を有することを特徴とするスプリングバック影響度表示方法。
【請求項４】
前記演算処理ステップは、前記プレス成形品の成形データのうち、前記プレス成形品を分割した各領域の一部の積分点の物性値及び物理量のデータの少なくとも一つに対して演算処理を行う請求項１〜３の何れか１項に記載のスプリングバック影響度表示方法。
【請求項５】
前記表示ステップは、前記各領域毎に、前記算出したスプリングバック量をコンタ表示する請求項１〜４の何れか１項に記載のスプリングバック影響度表示方法。
【請求項６】
前記物性値及び物理量は、板厚、弾性係数、塑性係数、応力の成分値、歪の成分値である請求項１〜５のいずれか一項に記載のスプリングバック影響度表示方法。
【請求項７】
プレス成形の成形条件を数値解析して、プレス成形品の成形データを得るプレス成形解析部と、
前記成形データを数値解析して、スプリングバック量を算出するスプリングバック解析部と、
前記プレス成形品の成形データのうち、前記プレス成形品を分割した各領域の物性値及び物理量のデータの少なくとも一つに対して演算処理を行ない、前記スプリングバック解析部に、前記演算処理の結果に基づくスプリングバック量を算出させる演算処理部と、
前記各領域毎に前記算出したスプリングバック量を前記各領域の面積で割った値を表示する表示部と、
を有することを特徴とするスプリングバック影響度表示装置。
【請求項８】
プレス成形の成形条件を数値解析して、プレス成形品の成形データを得るプレス成形解析部と、
前記成形データを数値解析して、スプリングバック量を算出するスプリングバック解析部と、
前記プレス成形品の成形データのうち、前記プレス成形品を分割した各領域の物性値及び物理量のデータの少なくとも一つに対して演算処理を行ない、前記スプリングバック解析部に、前記演算処理の結果に基づくスプリングバック量を算出させる演算処理部と、
前記各領域毎に、前記算出したスプリングバック量を前記プレス成形品の代表長さ、代表幅、代表高さ、代表板厚、引張強さのいずれか１つで割った値を、前記表示部に表示する表示部と、
を有することを特徴とするスプリングバック影響度表示装置。
【請求項９】
プレス成形の成形条件を数値解析して、プレス成形品の成形データを得るプレス成形解析部と、
前記成形データを数値解析して、スプリングバック量を算出するスプリングバック解析部と、
前記プレス成形品の成形データのうち、前記プレス成形品を分割した各領域の物性値及び物理量のデータの少なくとも一つに対して演算処理を行ない、前記スプリングバック解析部に、前記演算処理の結果に基づくスプリングバック量を算出させる演算処理部と、
前記各領域毎に、前記算出したスプリングバック量をパンチ速度又はしわ押さえ力で割った値を、前記表示部にコンタ表示する表示部と、
を有することを特徴とするスプリングバック影響度表示装置。
【請求項１０】
前記演算処理部は、前記プレス成形品の成形データのうち、前記プレス成形品を分割した各領域の一部の積分点の物性値及び物理量のデータの少なくとも一つに対して演算処理を行なう請求項７〜９の何れか１項に記載のスプリングバック影響度表示装置。
【請求項１１】
前記表示部は、前記各領域毎に前記算出したスプリングバック量をコンタ表示する請求項７〜１０の何れか１項に記載のスプリングバック影響度表示装置。
【請求項１２】
前記物性値及び物理量は、板厚、弾性係数、塑性係数、応力の成分値、歪の成分値である請求項７〜１１のいずれか一項に記載のスプリングバック影響度表示装置。
【請求項１３】
プレス成形の成形条件を数値解析して、プレス成形品の成形データを得るプレス成形解析手順と、
前記プレス成形品の成形データのうち、前記プレス成形品を分割した各領域の物性値及び物理量のデータの少なくとも一つに対して演算処理を行う演算処理手順と、
前記演算処理の結果に基づいて、スプリングバック量を算出するスプリングバック量算出手順と、
前記各領域毎に、前記算出したスプリングバック量を前記各領域の面積で割った値を、表示部に表示する表示手順と、
をコンピュータに実行させることを特徴とするスプリングバック影響度表示プログラム。
【請求項１４】
プレス成形の成形条件を数値解析して、プレス成形品の成形データを得るプレス成形解析手順と、
前記プレス成形品の成形データのうち、前記プレス成形品を分割した各領域の物性値及び物理量のデータの少なくとも一つに対して演算処理を行う演算処理手順と、
前記演算処理の結果に基づいて、スプリングバック量を算出するスプリングバック量算出手順と、
前記各領域毎に、前記算出したスプリングバック量を前記プレス成形品の代表長さ、代表幅、代表高さ、代表板厚、引張強さのいずれか１つで割った値を表示する表示手順と、
をコンピュータに実行させることを特徴とするスプリングバック影響度表示プログラム。
【請求項１５】
プレス成形の成形条件を数値解析して、プレス成形品の成形データを得るプレス成形解析手順と、
前記プレス成形品の成形データのうち、前記プレス成形品を分割した各領域の物性値及び物理量のデータの少なくとも一つに対して演算処理を行う演算処理手順と、
前記演算処理の結果に基づいて、スプリングバック量を算出するスプリングバック量算出手順と、
前記各領域毎に、前記算出したスプリングバック量をパンチ速度又はしわ押さえ力で割った値を表示する表示手順と、
をコンピュータに実行させることを特徴とするスプリングバック影響度表示プログラム。
【請求項１６】
前記演算処理手順は、前記プレス成形品の成形データのうち、前記プレス成形品を分割した各領域の一部の積分点の物性値及び物理量のデータの少なくとも一つに対して演算処理を行う請求項１３〜１５の何れか１項に記載のスプリングバック影響度表示プログラム。
【請求項１７】
前記表示手順は、前記各領域毎に、前記算出したスプリングバック量をコンタ表示する請求項１３〜１６の何れか１項に記載のスプリングバック影響度表示プログラム。
【請求項１８】
プレス成形の成形条件を数値解析してプレス成形品の成形データを算出するプレス成形解析プログラムと、該成形データを数値解析してスプリングバック量を算出するスプリングバック解析プログラムと、該スプリングバック量をコンタ表示するポスト処理プログラムと、データ入出力が可能であるスプリングバック影響度表示プログラムであって、
前記プレス成形解析プログラムから、前記成形データを取得する手順と、
前記成形データのうち、前記プレス成形品を分割した各領域の物性値及び物理量のデータの少なくとも一つに対して演算処理を行う演算処理手順と、
前記スプリングバック解析プログラムに、前記演算処理の結果を出力する手順と、
前記スプリングバック解析プログラムが各領域毎に前記算出したスプリングバック量を前記各領域の面積で割った値を、前記ポスト処理プログラムに、コンタ表示させるコンタ表示手順、
をコンピュータに実行させることを特徴とするスプリングバック影響度表示プログラム。
【請求項１９】
プレス成形の成形条件を数値解析してプレス成形品の成形データを算出するプレス成形解析プログラムと、該成形データを数値解析してスプリングバック量を算出するスプリングバック解析プログラムと、該スプリングバック量をコンタ表示するポスト処理プログラムと、データ入出力が可能であるスプリングバック影響度表示プログラムであって、
前記プレス成形解析プログラムから、前記成形データを取得する手順と、
前記成形データのうち、前記プレス成形品を分割した各領域の物性値及び物理量のデータの少なくとも一つに対して演算処理を行う演算処理手順と、
前記スプリングバック解析プログラムに、前記演算処理の結果を出力する手順と、
前記各領域毎に、前記算出したスプリングバック量を前記プレス成形品の代表長さ、代表幅、代表高さ、代表板厚、引張強さのいずれか１つで割った値、前記ポスト処理プログラムに、コンタ表示させるコンタ表示手順、
をコンピュータに実行させることを特徴とするスプリングバック影響度表示プログラム。
【請求項２０】
プレス成形の成形条件を数値解析してプレス成形品の成形データを算出するプレス成形解析プログラムと、該成形データを数値解析してスプリングバック量を算出するスプリングバック解析プログラムと、該スプリングバック量をコンタ表示するポスト処理プログラムと、データ入出力が可能であるスプリングバック影響度表示プログラムであって、
前記プレス成形解析プログラムから、前記成形データを取得する手順と、
前記成形データのうち、前記プレス成形品を分割した各領域の物性値及び物理量のデータの少なくとも一つに対して演算処理を行う演算処理手順と、
前記スプリングバック解析プログラムに、前記演算処理の結果を出力する手順と、
前記各領域毎に、前記算出したスプリングバック量をパンチ速度又はしわ押さえ力で割った値を、前記ポスト処理プログラムに、コンタ表示させるコンタ表示手順、
をコンピュータに実行させることを特徴とするスプリングバック影響度表示プログラム。
【請求項２１】
前記演算処理手順は、前記プレス成形品の成形データのうち、前記プレス成形品を分割した各領域の一部の積分点の物性値及び物理量のデータの少なくとも一つに対して演算処理を行う請求項１８〜２０の何れか１項に記載のスプリングバック影響度表示プログラム。
【請求項２２】
請求項１３〜２１のいずれか一項に記載のコンピュータプログラムを記録したことを特徴とするコンピュータ読み取り可能な記録媒体。
【手続補正２】
【補正対象書類名】明細書
【補正対象項目名】００１５
【補正方法】変更
【補正の内容】
【００１５】
表示ステップ（手順）は、各領域毎に、算出したスプリングバック量を各領域の面積で割った値をコンタ表示する。また、表示ステップ（手順）は、各領域毎に、算出したスプリングバック量をプレス成形品の代表長さ、代表幅、代表高さ、代表板厚、引張強さのいずれか１つで割った値を表示することができる。さらに、表示ステップ（手順）は、各領域毎に、算出したスプリングバック量をパンチ速度又はしわ押さえ力で割った値を表示することもできる。
【手続補正３】
【補正対象書類名】明細書
【補正対象項目名】００１８
【補正方法】変更
【補正の内容】
【００１８】
表示部は、各領域毎に、算出したスプリングバック量を各領域の面積で割った値を、表示部にコンタ表示する。表示部は、各領域毎に、算出したスプリングバック量をプレス成形品の代表長さ、代表幅、代表高さ、代表板厚、引張強さのいずれか１つで割った値を、表示部に表示することもできる。さらに、表示部は、各領域毎に、算出したスプリングバック量をパンチ速度又はしわ押さえ力で割った値を、表示することもできる。